(57)【特許請求の範囲】
【請求項１】
洗濯する洗濯物を受納するための洗濯槽と；
上記洗濯槽の下部に装着され水流を発生させるパルセータと；
駆動力を発生させ、モーター軸を有するモーターと；
上記パルセータを駆動するためのパルセータ駆動部と；
洗濯された洗濯物に含まれた洗濯水を脱水し、その側壁に多数個の通水口が形成され、上記洗濯機内に洗濯槽とは別途に設置される脱水槽と；
上記脱水槽を駆動するための脱水槽駆動部と；
洗濯／脱水作動を決定し、洗濯作動を行うための洗濯位置と脱水作動を行うための脱水位置との間で切換可能な第１手段と、
上記第１手段に連結され、上記第１手段の洗濯／脱水位置によって洗濯機の洗濯／脱水作動を選択的に行わせるように、上記洗濯作動時に上記モーターによって上記パルセータが駆動されるように上記パルセータ駆動部に動力を伝達し、上記脱水作動時に上記モーターによって上記脱水槽が駆動されるように上記脱水槽駆動部に動力を伝達させる第２手段と備え、
上記第１手段は洗濯機の上部に回転可能に設置される洗濯／脱水切換ノブを含み、上記洗濯／脱水切換ノブの左右回転方向によって上記洗濯及び脱水位置が決定される構成であり、
上記第２手段は、下向延長する中心軸、下向突出する第１突出部、及び上向突出する第２突出部を有するベース板、上記ベース板上面に回転可能に配置され、脱水作動時に回転する脱水ドラム、洗濯作動時に上記脱水ドラムの回転を拘束するための第１及び第２脱水ドラムブレーキロード、上記ベース板の下部に配置され、第２プーリがその上部に一体に形成され、洗濯作動時に左右反転する洗濯ドラム、上記洗濯ドラム内に内蔵され、上記モーター軸と結合されベース板の上記中心軸と上記洗濯ドラムに動力を伝達するベベルギヤ組立体、及び脱水作動時に上記洗濯ドラムを拘束するための洗濯ドラムブレーキロードを備えた洗濯／脱水転換ブレーキメカニズムを含む構成であり、
該洗濯／脱水転換ブレーキメカニズムは、洗濯／脱水作動の切換によって前後進移動する第１ブレーキ線、第２ブレーキ線、第３ブレーキ線、及び第４ブレーキ線を更に備え、上記第１及び第４ブレーキ線は上記洗濯／脱水切換ノブに連結され上記洗濯／切換ノブの左右回転によって引っ張りまたは引っ張り解除され、上記第２ブレーキ線は脱水槽カバーと連結され脱水槽が閉まれば引っ張られ、脱水槽が開けばその引張力が解除され、上記第４ブレーキ線は折曲され一端部が上記第１脱水ドラムブレーキロードの端部に他端部が上記第２脱水ドラムブレーキロードの端部に連結されることを特徴とする洗濯／脱水転換ブレーキメカニズムを備えた洗濯機。
【請求項２】
上記パルセータ駆動部は、一端部が上記パルセータの中心部に挿入されて固定され、下向延長するパルセータ駆動軸、上記パルセータ駆動軸を受納する第１プーリ、及び上記モーターの駆動力が上記パルセータに伝達されるように上記第１プーリと上記洗濯／脱水転換ブレーキメカニズムの第２プーリを相互連結するベルトを含むことを特徴とする請求項１記載の洗濯／脱水転換ブレーキメカニズムを備えた洗濯機。
【請求項３】
上記脱水槽駆動部は上記脱水ドラムに固定された脱水槽駆動軸、上記脱水槽に固定された脱水槽回転軸及び上記脱水槽駆動軸と上記脱水槽回転軸とを結合させるカップリング（ｃｏｕｐｌｉｎｇ）を含むことを特徴とする請求項１記載の洗濯／脱水転換ブレーキメカニズムを備えた洗濯機。
【請求項４】
上記第１及び第２脱水ドラムブレーキロードと上記洗濯ドラムブレーキロードとはそれぞれの末端内側面にブレーキシュー（ｂｒａｋｅ  ｓｈｏｅ）を備え、上記第２脱水ドラムブレーキロードの一端部には固定片が取り付けられることを特徴とする請求項１記載の洗濯／脱水転換ブレーキメカニズムを備えた洗濯機。
【請求項５】
上記第１及び第２脱水ドラムブレーキロードは上記ベース板上でヒンジ軸によって互いに旋回可能に結合され、上記洗濯ドラムブレーキロードは上記ヒンジ軸によって上記ベース板の下部に旋回可能に結合されることを特徴とする請求項３記載の洗濯／脱水転換ブレーキメカニズムを備えた洗濯機。
【請求項６】
上記洗濯／脱水転換ブレーキメカニズムは上記第２ブレーキ線と上記第１脱水ドラムブレーキロードとの間に配置される第１スプリング、上記ベース板の第１突出部と上記洗濯ドラムブレーキロードとの間に配置される第２スプリング、及び上記ベース板の第２突出部と上記第２脱水ドラムブレーキロードの固定片との間に配置される第３スプリングを更に備えたことを特徴とする請求項１記載の洗濯／脱水転換ブレーキメカニズムを備えた洗濯機。
【請求項７】
外部的な力の作用がない時に、上記第２スプリングは上記第２脱水ドラムブレーキロードを上記ドラムに接触させるように配置され、上記第３スプリングは上記洗濯ドラムブレーキロードを上記洗濯ドラムに接触させるように配置されることを特徴とする請求項６記載の洗濯／脱水転換ブレーキメカニズムを備えた洗濯機。
【請求項８】
洗濯機の上部に配置され洗濯／脱水時間を調節するタイマーを更に備え、上記モーターは上記タイマーに連結され上記タイマーの作動によって駆動されることを特徴とする請求項１記載の洗濯／脱水転換ブレーキメカニズムを備えた洗濯機。
【発明の詳細な説明】
【０００１】
【産業上の利用分野】
本発明は洗濯機に関し、より詳細には１つのモーターを使用し、洗濯／脱水作動を切り換えるためのブレーキメカニズムを備えた洗濯機に関する。
【０００２】
【従来の技術】
一般的に、洗濯機はその洗濯方式によってパルセータ形洗濯機、アジテータ（ａｇｉｔａｔｏｒ）形洗濯機、及びドラム式洗濯機で分類される。
上記洗濯機の内、パルセータ形洗濯機は洗濯槽の下端に回転可能に装着されたパルセータを備えた洗濯機であり、上記パルセータがモーターによって駆動され渦巻形態の水流を発生させ、上記渦巻形態の水流が洗濯物に衝撃を与え上記洗濯物を洗濯する洗濯方式を有する。
【０００３】
上記パルセータ形洗濯機は家庭用として広く使用されており、洗濯槽と脱水槽とが洗濯機内に分離されて設置される形態の洗濯機（以下、二槽式洗濯機と称する）と洗濯槽が脱水槽の役割まで行う形態の洗濯機（以下、一槽式洗濯機と称する）とで分けられる。本発明は上記二槽式パルセータ形洗濯機に関連されるので上記一槽式パルセータ形洗濯機については本明細書には記述しなかった。以下、本明細書に記述されるパルセータ形洗濯機は洗濯機内に別途の洗濯槽と脱水槽とを備えた上記二槽式洗濯機である。
【０００４】
図３には従来の一つのパルセータ形洗濯機４００が示されている。
図３に示すように、従来パルセータ形洗濯機４００は洗濯物が受納される洗濯槽４１０、上記洗濯槽４１０の下部に回転可能に装着され上記洗濯槽４１０内に水流を発生させるパルセータ４２０、上記パルセータ４２０を駆動するためのパルセータ駆動部４３０、上記洗濯槽と分離されて設置され、その側壁に多数個の通水口４５２が形成された脱水槽４５０、モーター軸４８２を有し上記脱水槽４５０を回転させるために駆動力を発生させる脱水モーター４８０、及び脱水槽４５０と上記脱水モーター４８０の間に配置され上記脱水モーター４８０の駆動力を上記脱水槽４５０に伝達する脱水槽駆動軸４６０を備える。上記脱水槽駆動軸４６０と上記脱水モーター４８０のモーター軸４８２はカップリング４７０によって互いに結合される。
【０００５】
上記パルセータ駆動部４３０はモーター軸４３４を有し、上記パルセータ４２０を回転させるために駆動力を発生させる洗濯モーター４３２、上記モーター軸４３４を受納する第１プーリ４３３、上記パルセータ４２０の中心部にボルト４２４によって固定され下向延長するパルセータ駆動軸４３８、及び上記パルセータ駆動軸４３８を受納する第２プーリ４３６を含む。上記洗濯モーター４３２の駆動力が上記パルセータ４２０に伝達されるように上記第１プーリ４３３と上記第２プーリ４３６とはベルト４３５によって互いに連結される。
【０００６】
一方、洗濯時間を調節するための洗濯タイマー４９０と脱水時間を調節するための脱水タイマー４９２とが各々洗濯機４００の上部に設置され上記洗濯モーター４３２及び上記脱水モーター４８０に各々連結されている。
上記構成を有する従来のパルセータ形洗濯機４００は次のように作動する。
先ず、洗濯物の洗濯作動時、使用者が上記洗濯槽４１０に洗濯物を入れて上記洗濯タイマー４９０をターンオン（ｔｕｒｎ  ｏｎ）すると、これと関連する上記洗濯モーター４３２が回転する。上記洗濯モーター４３２の回転力は上記洗濯モーター４３２の回転軸４３４、上記第１プーリ４３３及び上記第２プーリ４３６を通じて上記パルセータ駆動軸４３８に伝達され、これによって上記パルセータ駆動軸４３８と結合された上記パルセータ４２０が回転され上記洗濯槽４１０内に水流を発生させる。上記パルセータ４２０によって発生された水流は上記洗濯槽４１０内に入っている洗濯物に衝撃を与えて上記洗濯物が洗濯される。上記洗濯物を洗濯する時間は洗濯タイマー４９０によって調節可能になっている。
【０００７】
次いで、洗濯物の洗濯作動が完了すれば、使用者が上記洗濯された洗濯物を上記洗濯槽４１０から出して上記脱水槽４５０に入れて脱水タイマー４９２をターンオンすればこれと関連する上記脱水モーター４８０が回転する。上記脱水モーター４８０の回転力は上記脱水モーター４８０の回転軸４８２に結合された上記脱水槽駆動軸４６０を通じて上記脱水槽４５０に伝達され、これによって上記脱水槽４５０が回転することになる。この際、脱水槽４５０に受納された洗濯物は上記脱水槽４５０の回転によって遠心力の作用を受けるため脱水槽４５０の半径外側、即ち、脱水槽４５０の側壁に密着されるように力を受けることになり、これによって上記洗濯物に含まれた洗濯水は上記脱水槽４５０の側壁に形成された多数の通水口４５２を通じて洗濯機４００の外部に排水される。上記洗濯物を脱水する時間も上記脱水タイマー４９２によって調節可能になっている。
【０００８】
しかし、上記構成を有する従来のパルセータ形洗濯機４００は脱水槽４５０とパルセータ４２０とを各々駆動するための別途の洗濯モーター４３２及び脱水モーター４８０が必要であるため洗濯機の製造費用が上昇し、その組立段階が増えるという欠点がある。
また、上記従来のパルセータ形洗濯機４００は洗濯時間を調節する洗濯タイマー４９０と脱水時間を調節する脱水タイマー４９２とが別途に構成され各々上記洗濯モーター４３２と脱水モーター４８０に連結されているため洗濯機４００の内部構造が複雑になる。
【０００９】
従って、一つのモーターだけを使用して洗濯／脱水作動を実行することによって洗濯機の製造費用を減少し、内部構造を簡単にし、その組立段階を単純化することのできる洗濯機についての要請があった。
【００１０】
【発明が解決しようとする課題】
本発明は以上のような従来技術の問題点を解決するためのもので、本発明の技術的課題は一つのモーターだけを使用して洗濯／脱水作動を実行することによって、洗濯機の製造費用を減少し、内部構造を簡単にし、その組立段階を単純化することのできる洗濯機を提供することにある。
【００１１】
【課題を解決するための手段】
このような課題を達成するために、本発明は、
洗濯する洗濯物を受納するための洗濯槽と；
上記洗濯槽の下部に装着され水流を発生させるパルセータと；
駆動力を発生させ、モーター軸を有するモーターと；
一端部が上記パルセータの中心部にボルトによって固定され、下向延長するパルセータ駆動軸と、上記パルセータ駆動軸を受納する第１プーリと、及び上記モーターの駆動力が上記パルセータに伝達されるように上記第１プーリに動力を伝達するベルトを含むパルセータ駆動部と；
洗濯／脱水作動を決定し、洗濯作動を行うための洗濯位置と脱水作動を行うための脱水位置との間で切換可能な洗濯／脱水切換ノブと；
下向延長する中心軸と、下向突出する第１突出部と、及び上向突出する第２突出部を有するベース板と、上記ベース板上面に回転可能に配置され、脱水作動時に回転する脱水ドラムと、洗濯作動時に上記脱水ドラムの回転を拘束するための第１及び第２ブレーキシューを各々有する第１及び第２脱水ドラムブレーキロード、上記ベース板の下部に配置され、第２プーリがその上部に一体に形成され、洗濯作動時に左右反転する洗濯ドラムと、上記洗濯ドラム内に内蔵され、上記モーター軸と結合され上記ベース板の上記中心軸と上記洗濯ドラムに動力を伝達するベベルギヤ組立体と、及び脱水作動時に上記洗濯ドラムを拘束するためのブレーキシューを有する洗濯ドラムブレーキロードを含む洗濯／脱水転換ブレーキメカニズムと；
洗濯された洗濯物に含まれた洗濯水を脱水させ、その側壁に多数個の通水口が形成され、上記洗濯機内に洗濯槽とは別途に設置される脱水槽と；
上記脱水槽ドラムに固定された脱水槽駆動軸と、上記脱水槽に固定された脱水槽回転軸と、上記脱水槽駆動軸と上記脱水槽回転軸とを結合するカップリングを含む脱水槽駆動部と、
洗濯機の上部に配置され洗濯／脱水時間を調節するタイマーを備え、
上記洗濯／脱水転換メカニズムは上記洗濯／脱水切換ノブに連結され、上記洗濯／脱水切換ノブの洗濯／脱水位置によって洗濯機の洗濯／脱水作動を選択的に遂行させ、洗濯作動時に上記脱水槽駆動部に動力を伝達して上記脱水槽を駆動させ、
また、上記洗濯／脱水転換ブレーキメカニズムは洗濯／脱水作動の転換によって前後進移動する第１ブレーキ線と、第２ブレーキ線と、第３ブレーキ線と、第４ブレーキ線と、上記第２ブレーキ線と上記第１脱水ドラムブレーキロードとの間に配置される第２スプリングと、上記ベース板の第２突出部と上記第２脱水ドラムブレーキロードの固定片との間に配置される第３スプリングを更に備えたことを特徴とする洗濯機を提供する。
【００１２】
【作用】
以上のような構成を有する本発明による洗濯機は、
洗濯物の洗濯作動の際に、使用者が洗濯物を上記洗濯槽に入れて上記洗濯／脱水切換ノブを洗濯位置にターンオンすると、上記洗濯／脱水切換ノブに連結された上記第１ブレーキ線と上記第４ブレーキ線とが引っ張られる。
【００１３】
上記第１ブレーキ線が引っ張られることによって、上記第１及び第２脱水ドラムブレーキロードの上記第１及び第２ブレーキシューが上記脱水ドラムに密着される。
また、上記第４ブレーキ線が引っ張られることによって、上記洗濯ドラムブレーキロードが上記洗濯ドラムから脱着される。
【００１４】
このような状態で上記モーターに連結された上記タイマーをターンオンすると上記第１及び第２ブレーキシューと上記脱水ドラムとの接触によって上記モーターの駆動力は上記脱水ドラムに伝達されなくなり、上記洗濯ドラムだけ上記モーターの駆動力が伝達され左右回転することになる。
このような上記洗濯ドラムの左右回転は上記洗濯ドラムの上部に一体に形成された上記第２プーリに連結された上記ベルトを通じて上記第１プーリに伝達され、これによって上記第１プーリに受納された上記パルセータ駆動軸が左右反転して上記パルセータを左右反転させる。上記パルセータの左右反転は洗濯槽内に水流を形成させ洗濯物を洗濯する。上記洗濯物を洗濯する時間は上記タイマーによって調節可能になっている。
【００１５】
次いで、洗濯物の脱水作動の際に、使用者が上記洗濯された洗濯物を上記脱水槽に入れて上記洗濯／脱水切換ノブを脱水位置に回すと、上記第１ブレーキ線と上記第４ブレーキ線を引っ張っていた引張力が解除される。上記第１ブレーキ線に加わっていた引張力が解除されることによって、上記第１及び第２脱水ドラムブレーキロードの上記第１及び第２ブレーキシューが上記脱水ドラムから脱着される。
【００１６】
また、上記第４ブレーキ線に加わっていた引張力も解除されるので、上記洗濯ドラムブレーキロードは上記第２スプリングの復原力によって上記洗濯ドラムに接触することになる。
このような状態で上記モーターに連結された上記タイマーをターンオンすれば上記洗濯ドラムブレーキロードと上記洗濯ドラムとの接触によって上記モーターの駆動力は上記洗濯ドラムに伝達されなくなり、上記脱水ドラムだけ上記モーターの駆動力が伝達され回転することになる。
【００１７】
上記脱水ドラムの回転力は上記脱水槽駆動軸に伝達され上記脱水槽を回転させる。
この際、上記脱水槽に受納された洗濯物は遠心力の作用を受けるため脱水槽の半径外側に密着されるように力を受けることになり、これによって上記洗濯物に含まれた洗濯水が上記脱水槽の側壁に形成された多数の通水口を通じて洗濯機の外部に排水される。
【００１８】
一方、上記脱水作動過程で、脱水カバーが開くと上記脱水槽の回転が停止することになる。
以上、説明したように、本発明による洗濯機は一つのモーターで洗濯／脱水作動を行えるため洗濯機の構成が簡単になり、製造費用が節減される。
【００１９】
【実施例】
以下に添付図面を参照して本発明の実施例を詳細に説明する。
図１は本発明の一実施例による洗濯機１００の断面図である。
同図に示すように、本発明の一実施例による洗濯機１００は洗濯物を受納するための洗濯槽１１０、上記洗濯槽１１０の下部に装着され水流を発生するパルセータ１２０、上記パルセータ１２０を駆動するためのパルセータ駆動部１３０、モーター側１３４を有し動力を発生するモーター１３２、上記洗濯機１００内に上記洗濯槽１１０とは別途に設置され洗濯された洗濯物を脱水し、その側壁に多数個の通水口１５２が形成された脱水槽１５０、洗濯機１００の上部に配置され洗濯／脱水時間を調節するタイマー１７０、上記脱水槽１５０を駆動するための脱水槽駆動部２４０、洗濯／脱水作動を決定し、洗濯作動を行うための洗濯位置と脱水作動を行うための脱水位置に切換可能な洗濯／脱水切換ノブ１８０、及び上記洗濯／脱水切換ノブ１８０に連結され上記洗濯／脱水切換ノブ１８０の洗濯／脱水位置によって上記洗濯機１００の洗濯／脱水作動を転換させるブレーキメカニズム２００を備える。
【００２０】
上記パルセータ駆動部１３０は一端部が上記パルセータ１２０の中心部にボルト１２４によって固定され、上記パルセータ１２０に対して下向延長するパルセータ駆動軸１３８、上記パルセータ駆動軸１３８を受納する第１プーリ１３６、及び上記モーター１３２の駆動力を上記パルセータ１２０に伝達するために上記第１プーリ１３６と上記ブレーキメカニズム２００を相互連結するベルト１３５を含む。上記モーター１３２は洗濯機１００の上部に設置された上記タイマー１７０に連結され上記タイマー１７０の作動によって駆動することになる。
【００２１】
上記ブレーキメカニズム２００は下向延長する中心軸２０７を有するベース板２０５、上記ベース板２０５上に回転可能に配置され、脱水作動時に回転する脱水ドラム２１０、洗濯作動時に上記脱水ドラム２１０の回転を拘束する第１及び第２脱水ドラムブレーキロード２２０、２３０、上記ベース板２０５の下部に配置され、第２プーリ２５２が上部に一体に形成され、洗濯作動時に選択的に左右反転する洗濯ドラム２５０、上記洗濯ドラム２５０内に内蔵され、上記モーター軸１３４と結合されて上記ベース板２０５の上記中心軸２０７と上記洗濯ドラム２５０に動力を伝達するベベルギヤ組立体２５６及び脱水作動時に上記洗濯ドラム２５０を拘束する洗濯ドラムブレーキロード２６０を含む。
【００２２】
上記第２プーリ２５２はベルト１３５によって上記第１プーリ１３６と連結される。また、上記ベース板２０５の中心軸２０７は上記モーター１３２の駆動力が上記脱水槽１５０に伝達されるように上記第２プーリ２５２の中心孔を通じて上記ベベルギヤ組立体２５６に結合される。
上記脱水槽駆動部２４０は上記脱水ドラム２１０に固定された脱水槽駆動軸２４２、上記脱水槽１５０に固定された脱水槽回転軸２４６、及び上記脱水槽駆動軸２４２と上記脱水槽回転軸２４６とを結合させるカプリング２４６とを含む。
【００２３】
図２には上記構成を有するブレーキメカニズム２００により詳細に示されている。
図２に示すように、上記ブレーキメカニズム２００は前後進移動の可能な第１ブレーキ線２２６、第２ブレーキ線２２７、第３ブレーキ線２２８、及び第４ブレーキ線２２９を更に備える。また、上記ベース板２０５はその下面に固定され下向延長する第１突出部２０８、及びその上面に固定され上向突出する第２突出部２０９を更に備える。
【００２４】
上記第１ブレーキ線２２６は洗濯作動時に上記脱水ドラム２１０を制動し得るようにその一端部が図１に示す上記洗濯／脱水切換ノブ１８０に連結されており、その他端部は上記第１脱水ドラムブレーキロード２２０の一端部に連結されている。上記第２ブレーキ線２２６はその一端部が脱水槽カバー（図示せず）と連結され、上記脱水槽カバーが閉まれば第２ブレーキ線２２６が引っ張られ、開くとその引張力が解除されるようになっている。また、上記第３ブレーキ線２２８は上記脱水ドラム２１０の左右回転を防止し得るように折曲され一端部は上記第１脱水ドラムブレーキロード２２０の端部に、そして、他端部は第２脱水ドラムブレーキロード２３０の端部に連結され、上記第４ブレーキ線２２９は上記洗濯ドラム２５０を制動することができるように、その一端部が図１に示す洗濯／脱水切換ノブ１８０に連結され、他端部が洗濯ドラムブレーキロード２６０に連結される。上記洗濯／脱水切換ノブ１８０は左右回転可能に形成され、その左右回転によって上記第１及び第４ブレーキ線２２６、２２９が引っ張りまたは引っ張り解除され、これによって洗濯ドラム２５０と脱水ドラム２１０とが選択的に拘束され洗濯／脱水作動が切り換えられるようになっている。
【００２５】
一方、上記第２ブレーキ線２２６の他端部と上記第１脱水ドラムブレーキロード２２０との間には第１スプリング２２４が配置され、上記洗濯ドラムブレーキロード２６０と上記ベース板２０５の上記第１突出部２０８との間には第２スプリング２６４が配置される。また、上記ベース板２０５の上記第２突出部２０９と上記第２脱水ドラムブレーキロード２３０の端部に付着された固定片２１１との間には第３スプリング２３８が配置される。外力が作用しない場合、上記第２スプリング２６４は上記洗濯ドラムブレーキロード２６０を上記洗濯ドラム２５０に密着させ、上記第３スプリング２３８は上記第２脱水ドラムブレーキロード２３０を上記脱水ドラム２１０に密着させるように配置される。
【００２６】
一方、上記第１及び第２脱水ドラムブレーキロード２２０、２３０は上記ベース板２０５を貫通するヒンジ軸２２５を中心として互いに旋回可能に結合され、洗濯作動時に上記脱水ドラム２１０と接触する、第１及び第１ブレーキシュー２２２、２３２を各々の末端内側面に備える。上記ベース板２０５の下面に配置される洗濯ドラムブレーキロード２６０も上記ヒンジ軸２２５によって上記ベース板２０５の下部に旋回可能に結合され、その末端内側面にブレーキシュー（図示せず）を備える。
【００２７】
以上のような構成を有する本発明による洗濯機１００は次のように作動する。先ず、洗濯物の洗濯作動時、使用者が洗濯物を上記洗濯槽１１０に入れて上記洗濯／脱水切換ノブ１８０を洗濯位置にターンオンすれば、上記洗濯／脱水切換ノブ１８０に連結された上記第１ブレーキ線２２６と上記第４ブレーキ線２２９とが引っ張られる。
【００２８】
上記第１ブレーキ線２２６が引っ張られることによって、上記第１ブレーキ線２２６の他端部に連結された上記第１脱水ドラムブレーキロード２２０が上記第１スプリング２２４の偏向力を克服し上記ヒンジ軸２２５を中心として内側に旋回移動し、これによって上記第１脱水ドラムブレーキロード２２０の上記第１ブレーキシュー２２２が上記脱水ドラム２１０に密着されることになる。上記第１脱水ドラムブレーキロード２２０が内側に旋回移動することによって、その端部に連結された第３ブレーキ線２２８も後進移動をすることになり、上記後進移動によって上記第３ブレーキ線２２８の引張力は解除され、これによって、上記第２脱水ドラムブレーキロード２３０が上記第３スプリング２１１の偏向力によって上記脱水ドラム２１０に向かって旋回移動され上記第２ブレーキシュー２３２が上記脱水ドラム２１０に密着されることになる。
【００２９】
また、上記第４ブレーキ線２２９が引っ張られることによって、上記第４ブレーキ線２２９に連結された上記洗濯ドラムブレーキロード２６０が上記第２スプリング２６４の偏向力を克服し、上記ヒンジ軸２２５を中心として外側に旋回移動され、これによって上記洗濯ドラムブレーキロード２６０が上記洗濯ドラム２５０から脱着される。
【００３０】
このような状態で上記モーター１３２に連結された上記タイマー１７０を回せば上記第１及び第２ブレーキシュー２２２、２３２と上記脱水ドラム２１０との接触によって上記モーター１３２の駆動力は上記脱水ドラム２１０に伝達されなくなり、上記洗濯ドラム２５０だけ上記モーター１３２の駆動力が伝達され左右回転することになる。
【００３１】
即ち、図１に示すように、上記洗濯作動時、上記モーター１３２の駆動力は上記モーター軸１３４を通じて上記洗濯ドラム２５０内に配置されたベベルギヤ組立体２５６に伝達され、これによって上記ベベルギヤ組立体２５６と噛み合っている上記洗濯ドラム２５０が左右に回転する。このような上記洗濯ドラム２５０の左右回転は上記洗濯ドラム２５０の上部に一体に形成された第２プーリ２５２に連結されたベルト１３５を通じて上記第１プーリ１３６に伝達され、これによって、上記第１プーリ１３６に受納されたパルセータ駆動軸１３８が左右反転して上記パルセータ１２０を左右反転させる。上記パルセータ１２０の左右反転は洗濯槽１１０内に水流を形成させ洗濯物を洗濯する。上記洗濯物を洗濯する時間は上記タイマー１７０によって調節可能になっており、上記タイマー１７０によって設定される時間の間に洗濯作動を行った後には上記タイマー１７０に連結された上記モーター１３２の作動が止まることになる。
【００３２】
一方、上記洗濯作動過程で脱水槽カバーが閉まって上記第２ブレーキ線２２７を引っ張ることになっても、上記洗濯／脱水切換ノブ１８０が上記第１ブレーキ線２２６を引っ張る力は上記脱水槽カバーが上記第２ブレーキ線２２７を引っ張る力より大きく設定されるため上記第１及び第２ブレーキシュー２２２、２３２が上下脱水ドラム２１０から脱着されない。
【００３３】
次いで、洗濯物の洗濯作動が完了された時、使用者が上記洗濯された洗濯物を上記洗濯槽１１０から出して上記脱水槽１５０に入れ、上記洗濯／脱水切換ノブ１８０を脱水位置、即ち、上記洗濯位置の反対方向に回すと、上記第１ブレーキ線２２６と上記第４ブレーキ線２２９とを引っ張っていた引張力が解除される。上記第１ブレーキ線２２６に加わっていた引張力が解除されることによって、上記第１脱水ドラムブレーキロード２２０が上記第１スプリング２２４の復原力によって上記ヒンジ軸２２５を中心として外側に旋回移動し、これによって上記第１脱水ドラムブレーキロード２２０の上記第１ブレーキシュー２２２が上記脱水ドラム２１０から脱着される。これと同時に、上記第１脱水ドラムブレーキロード２２０の一端部に連結された上記第３ブレーキ線２２８も上記第１脱水ドラムブレーキロード２２０に沿って前進移動することになり、これによって上記第３ブレーキ線２２８の他端部に連結された上記第２脱水ドラムブレーキロード２３０が上記第３スプリング２３８の力を克服し、上記ヒンジ軸２２５を中心として外側に旋回移動する。従って、上記第２脱水ドラムブレーキロード２３０の上記第２ブレーキシュー２３２が上記脱水ドラム２１０から脱着される。
【００３４】
また、上記第４ブレーキ線２２９に加わる引張力も解除されるので、上記洗濯ドラムブレーキロード２６０は上記第２スプリング２６４の復原力によって上記ヒンジ軸２２５を中心として内側に旋回移動して上記洗濯ドラム２５０に接触することになる。
このような状態で上記モーター１３２に連結された上記タイマー１７０をターンオンすると上記洗濯ドラムブレーキロード２６０と上記洗濯ドラム２５０との接触によって上記モーター１３２の駆動力は上記洗濯ドラム２５０に伝達されなくなり、上記脱水ドラム２１０だけ上記モーター１３２の駆動力が伝達され回転することになる。
【００３５】
即ち、図１に示すように、脱水作動時に上記モーター１３２の駆動力は上記モーター１３２のモーター軸１３４を通じて上記ベベルギヤ組立体２５６に伝達され、上記ベベルギヤ組立体２５６に伝達された駆動力は上記ベース板２０５の中心軸２０７、上記ベース板２０５、上記脱水ドラム２１０及び上記脱水槽駆動部２４０に伝達され上記脱水槽１５０を回転させる。
【００３６】
この際、上記脱水槽１５０に受納された洗濯物は上記脱水槽１５０の回転によって遠心力の作用を受けるため脱水槽１５０の半径外側、即ち脱水槽１５０の側壁に密着されるように力を受けることになり、これによって上記洗濯物に含まれた洗濯水は上記脱水槽１５０の側壁に形成された多数の通水口１５２を通じて洗濯機１００の外部に排水される。上記洗濯物を脱水する時間も上記モーター１３２に連結されたタイマー１７０によって調節可能になっている。
【００３７】
一方、上記脱水作動過程で、脱水カバーが開くと上記脱水カバーと連結された上記第２ブレーキ線２２７の引張力が解除されるため第１スプリング２２４の偏向力が解除される。従って、上記第１脱水ドラムブレーキロード２２０が脱水ドラム２１０と接触することになり、これによって上記脱水槽１５０の回転が停止する。
【００３８】
以上で説明したように、本発明による洗濯／脱水転換ブレーキメカニズム２００を備えた洗濯機１００は一つのモーター１３２だけで洗濯／脱水作動を行えるので洗濯機１００の構成が簡単になり、製造費用も節減される。
また、脱水タイマー及び洗濯タイマーの機能を一つのタイマー１７０だけで行えるので洗濯機１００の操作が簡単になる。
【００３９】
本発明は前述した明細書と添付図面に限定されるものではなく、本発明の技術的思想の範囲内で多様な変形例が実施できる。
【図面の簡単な説明】
【図１】本発明の一実施例による洗濯機の断面図である。
【図２】図１に示す洗濯／脱水転換ブレーキメカニズムの斜視図である。
【図３】従来の二槽式洗濯機の断面図である。
【符号の説明】
１００  洗濯機
１１０  洗濯槽
１２０  パルセータ
１３０  パルセータ駆動部
１３２  モーター
１３４  モーター軸
１３５  ベルト
１３６  第１プーリ
１３８  パルセータ駆動軸
１５０  脱水槽
１７０  タイマー
１８０  切換ノブ
２００  洗濯／脱水転換ブレーキメカニズム
２０５  ベース板
２０７  中心軸
２１０  脱水ドラム
２２０  ブレーキロード
２２６  第１ブレーキ線
２２７  第２ブレーキ線
２２８  第３ブレーキ線
２２９  第４ブレーキ線
２５０  洗濯ドラム
２５２  第２プーリ
２５６  ベベルギヤ組立体
２６０  ブレーキロード
【図１】
0003704376.tif 000002
【図２】
0003704376.tif 000003
【図３】
0003704376.tif 000004